(57)【要約】      （修正有）【課題】原本性の担保機能と、存在時期の特定機能とを併有し、印刷紙葉の偽造・改ざん防止に有効な偽造防止用印刷紙葉を提供する。【解決手段】偽造防止用印刷紙葉は、紙葉１ａと、紙葉の任意の箇所に印刷加工した常時は視認不能であり複写機による複写により顕像化する任意の文字、記号、模様、画像から選定される潜像情報を印刷した潜像情報印刷部５と、紙葉の隅部に印刷加工した常時は視認不能であり拡大手段による拡大により視認可能となる年月日を意味するマイクロ文字からなる微小文字を印刷した微小文字印刷部４と、を有する。【選択図】図２
0003220070.tif 000002
【実用新案登録請求の範囲】
【請求項１】
紙葉と、
この紙葉に印刷加工した常時は視認不能であり複写機による複写により顕像化する潜像情報を印刷した潜像情報印刷部、及び常時は視認不能であり拡大手段による拡大により視認可能となる微小文字を印刷した微小文字印刷部と、
を有することを特徴とする偽造防止用印刷紙葉。
【請求項２】
紙葉と、
この紙葉の任意の箇所に印刷加工した常時は視認不能であり複写機による複写により顕像化する任意の文字、記号、模様、画像から選定される潜像情報を印刷した潜像情報印刷部と、
前記紙葉の隅部に印刷加工した常時は視認不能であり拡大手段による拡大により視認可能となる年月日を意味するマイクロ文字からなる微小文字を印刷した微小文字印刷部と、
を有することを特徴とする偽造防止用印刷紙葉。
【請求項３】
前記潜像情報印刷部の潜像情報は、「複写」、「コピー」等の文字情報を顕像化可能なものであることを特徴とする請求項１又は２記載の偽造防止用印刷紙葉。
【請求項４】
前記紙葉は、契約書、見積書、請求書、領収書等の帳票類であって、これら契約書、見積書、請求書、領収書等の帳票類の原本担保性、存在時期特定の機能を有し、各種帳票類の偽造・改ざん防止用として使用されることを特徴とする請求項１乃至３のいずれか１項に記載の偽造防止用印刷紙葉。
【考案の詳細な説明】
【技術分野】
【０００１】
本考案は、原本性の担保機能と、存在時期の特定機能とを併有し、印刷紙葉の偽造・改ざん防止に有効な偽造防止用印刷紙葉に関するものである。
【背景技術】
【０００２】
本考案に関連する技術として、例えば特許文献１には、偽造防止用印刷物が開示されている。
【０００３】
この特許文献１の偽造防止用印刷物は、複写再現能力に満たない小さい点で形成された図柄本体部、この図柄本体部の背景であって、前記図柄本体部と共通した前記小さい点で、同じ面積率で形成された図柄背景部、光が当たっているように見せることで前記図柄本体部が浮き出ているように感じさせる光当部及び、影であるように見せることで前記図柄本体部が浮き出ているように感じさせる影部から構成され、全体として立体的な図柄が二次元平面で表現されるレリーフ調模様と、複写機で再現可能な大きい点の集合体又は線群と、を、前記図柄本体部及び前記図柄背景部の面積率と、前記複写機で再現可能な大きい点の集合体又は線群の面積率とを略一致させ、同一面上で組み合わせて構成したものである。
【０００４】
しかしながら、上記特許文献１の発明を含め、印刷紙葉の原本性の担保機能と、存在時期の特定機能とを併有し、印刷紙葉の偽造・改ざん防止を実現するような先行技術としての偽造防止用印刷紙葉は従来存在しないのが実情である。
【先行技術文献】
【特許文献】
【０００５】
【特許文献１】特許第５９７３９０４号公報
【考案の概要】
【考案が解決しようとする課題】
【０００６】
本考案は、上記従来の実情に鑑みて開発されたものであり、印刷紙葉の原本性の担保機能と、存在時期の特定機能とを併有し、印刷紙葉の偽造・改ざん防止に有効な偽造防止用印刷紙葉を提供するものである。
【課題を解決するための手段】
【０００７】
本考案に係る偽造防止用印刷紙葉は、紙葉と、この紙葉に印刷加工した常時は視認不能であり複写機による複写により顕像化する潜像情報を印刷した潜像情報印刷部、及び常時は視認不能であり拡大手段による拡大により視認可能となる微小文字を印刷した微小文字印刷部と、を有することを最も主要な特徴とする。
【考案の効果】
【０００８】
請求項１記載の考案によれば、複写機による複写により顕像化する潜像情報と拡大手段による拡大により視認可能となる微小文字とを有する紙葉の構成により、印刷紙葉の原本性の担保機能と、存在時期の特定機能とを併有し、印刷紙葉の偽造・改ざん防止に有効な偽造防止用印刷紙葉を実現し提供することができる。
【０００９】
請求項２記載の考案によれば、紙葉と、この紙葉の任意の箇所に印刷加工した常時は視認不能であり複写機による複写により顕像化する任意の文字、記号、模様、画像から選定される潜像情報を印刷した潜像情報印刷部と、前記紙葉の隅部に印刷加工した常時は視認不能であり拡大手段による拡大により視認可能となる年月日を意味するマイクロ文字からなる微小文字を印刷した微小文字印刷部と、を有する構成により、印刷紙葉の原本性の担保機能と、存在時期の特定機能とを併有し、印刷紙葉の偽造・改ざん防止に有効な偽造防止用印刷紙葉を実現し提供することができる。
【００１０】
請求項３記載の考案によれば、請求項１又は２記載の考案において、前記潜像情報印刷部の潜像情報は、複写、コピー等の文字情報を顕像化可能なものとしているので、前記複写、コピー等の文字情報の顕像化により、印刷紙葉の原本性の担保機能を発揮させることができる偽造防止用印刷紙葉を実現し提供することができる。
【００１１】
請求項４記載の考案によれば、請求項１乃至３のいずれか１項に記載の考案において、契約書、見積書、請求書、領収書等の各種帳票類の原本担保性、存在時期特定の機能を有し、帳票類の偽造・改ざん防止用として極めて有用な偽造防止用印刷紙葉を実現し提供することができる。
【図面の簡単な説明】
【００１２】
【図１】図１は本考案の実施例に係る偽造防止用印刷紙葉の平面図である。
【図２】図２は本実施例に係る偽造防止用印刷紙葉における潜像情報を印刷した潜像情報印刷部の存在領域を点線矩形で示す説明図である。
【図３】図３は本実施例に係る偽造防止用印刷紙葉の複写処理により表出する潜像情報に基づく顕像情報を示す説明図である。
【図４】図４は本実施例に係る偽造防止用印刷紙葉に印刷した微小文字の拡大視認状態を示す説明図である。
【考案を実施するための形態】
【００１３】
本考案は、原本性の担保機能と、存在時期の特定機能（換言すると存在証明を担保する機能）とを併有し、印刷紙葉の偽造・改ざん防止に有効な偽造防止用印刷紙葉を提供するという目的を、紙葉と、この紙葉の任意の箇所に印刷加工した常時は視認不能であり複写機による複写により顕像化する任意の文字、記号、模様、画像から選定される潜像情報を印刷した潜像情報印刷部と、前記紙葉の隅部に印刷加工した常時は視認不能であり拡大手段による拡大により視認可能となる年月日を意味するマイクロ文字からなる微小文字を印刷した微小文字印刷部と、を有する構成により実現した。
【実施例】
【００１４】
以下、本考案の実施例に係る偽造防止用印刷紙葉について図面を参照して詳細に説明する。
【００１５】
本実施例に係る偽造防止用印刷紙葉１は、図１乃至図４に示すように、所定サイズ（例えばＡ４サイズ、Ｂ５サイズ等）の紙葉１ａと、この紙葉１ａの紙面大部分を占める文字情報等印刷部２と、前記紙葉１ａの例えば右上隅、左下隅に印刷加工した常時は視認不能であり拡大鏡等の拡大手段による拡大処理により視認可能となる例えば年月日（例えばＨ３０−８−１等）を意味するマイクロ文字からなる微小文字４ａを公知手段により印刷した微小文字印刷部４と、前記紙葉１ａの任意の箇所に印刷加工した常時は視認不能であり図示しない複写機による複写により顕像化する任意の文字、記号、模様、画像から選定される潜像情報（例えば図３に示すような「複写」の文字）５ａを公知手段により印刷した潜像情報印刷部５と、を有している。
【００１６】
図２に示す点線矩形は、紙葉１ａにおける潜像情報印刷部５の存在領域５ｂを示すものである。
【００１７】
前記微小文字印刷部４の微小文字４ａは、前記紙葉１ａ製造ロットごとに、かつ、文字情報等印刷部２に対する印刷内容を邪魔しないように右上隅、左下隅等にマイクロ文字で印刷するものであり、これにより偽造防止用印刷紙葉１の製造年月日、すなわち、存在開始時期を特定でき、少なくともそれ以前にはこの偽造防止用印刷紙葉１は存在しなかったという不存在証明（換言すると存在証明を担保する機能）が可能となり、この結果、偽造防止用印刷紙葉１を契約書として利用した場合、当該契約書等の偽造・改ざん防止や締結時期の改ざん防止に役立つものである。
【００１８】
前記微小文字４ａは、超微細文字のため、肉眼では判読困難な文字で印刷するため、オリジナルの偽造防止用印刷紙葉１では拡大鏡（ルーペ）でマイクロ文字部分を拡大するとハッキリと判読できるものの、複写機で複写しても鮮明には再現し得ないものである。
【００１９】
前記微小文字４ａとしては、例えば偽造防止用印刷紙葉１の製造年月日に合わせ、例えば「Ｈ３０−８−１（平成３０年８月１日の意）」を繰り返し数回印刷する等の例を挙げることができるが、その印刷内容は特に限定するものではない。
【００２０】
前記微小文字印刷部４は、よくある食品のトレーサビリティコード（製造年月日、製造工場等）のようなイメージで使用するものである。
【００２１】
前記潜像情報印刷部５の潜像情報５ａの印刷は、複写機のスキャナ機能の解像度を超える細かい点と、同じ濃度に見える粗い点を組み合わせて印刷することで潜像を埋め込む技術であり、ここに、細い点は、点として読み取れないため、途中の画像処理で消えてしまい、その結果、粗い点だけが残って埋め込んだ潜像が出現するという技術を利用するものである。
【００２２】
すなわち、前記潜像情報５ａの文字として、例えば、「複写」、「コピー」等の文字を埋め込んでおけば、複写機でコピーするとその文字が顕像として視認可能に表出するために、例えば複数葉の偽造防止用印刷紙葉１を用いて契約書が作成されておりその一部が前記潜像情報印刷部５を含まない紙葉に差し替えられて偽造・改ざんされていたような場合には、当該潜像情報印刷部５を含まない紙葉を含む偽の契約書であると速やかに判定でき、これにより、前記偽造防止用印刷紙葉１は、原本性の担保として有効であり、不正・改ざんの抑止力として一定の効果を発揮するものである。
【００２３】
前記潜像情報印刷部５の潜像情報５ａとしては、文字の他、記号、模様、所望の画像等を選定することができ、特に限定するものではない。
【００２４】
前記偽造防止用印刷紙葉１は、契約書、見積書、請求書、領収書等の存在時期の特定機能、原本性の担保性機能を有効に発揮し、これらの偽造・改ざん防止用として極めて有益である。
いずれにしても本考案に係る偽造防止用印刷紙葉１によれば、前記したように、前記潜像情報を印刷した潜像情報印刷部と、前記マイクロ文字からなる微小文字を印刷した微小文字印刷部とをもって、原本性を担保する機能を発揮させることができ、しかも、前記マイクロ文字からなる微小文字を印刷した微小文字印刷部をもって、偽造防止用印刷紙葉１の製造年月日、すなわち、存在開始時期を特定でき、少なくともそれ以前にはこの偽造防止用印刷紙葉１は存在しなかったという不存在証明機能（換言すると存在証明を担保する機能）を発揮させることができる。
【産業上の利用可能性】
【００２５】
本考案の偽造防止用印刷紙葉は、契約書、見積書、請求書、領収書等の各種帳票類の原本担保性、存在時期特定の機能を有し、各種帳票類の偽造・改ざん防止用として好適に利用することができる。
【符号の説明】
【００２６】
１    偽造防止用印刷紙葉
１ａ  紙葉
２    文字情報等印刷部
４    微小文字印刷部
４ａ  微小文字
５    潜像情報印刷部
５ａ  潜像情報
５ｂ  潜像情報印刷部の存在領域
【図１】
0003220070.tif 000003
【図２】
0003220070.tif 000004
【図３】
0003220070.tif 000005
【図４】
0003220070.tif 000006
【手続補正書】
【提出日】平成30年11月28日(2018.11.28)
【手続補正１】
【補正対象書類名】実用新案登録請求の範囲
【補正対象項目名】請求項１
【補正方法】変更
【補正の内容】
【請求項１】
紙葉と、
この紙葉の任意の箇所に印刷加工した常時は視認不能であり複写機による複写により顕像化する潜像情報を印刷した潜像情報印刷部、及び前記紙葉の隅部に印刷加工した常時は視認不能であり拡大手段による拡大により視認可能となる微小文字を印刷した微小文字印刷部と、
を有することを特徴とする偽造防止用印刷紙葉。
【手続補正２】
【補正対象書類名】明細書
【補正対象項目名】０００７
【補正方法】変更
【補正の内容】
【０００７】
本考案に係る偽造防止用印刷紙葉は、紙葉と、この紙葉の任意の箇所に印刷加工した常時は視認不能であり複写機による複写により顕像化する潜像情報を印刷した潜像情報印刷部、及び前記紙葉の隅部に印刷加工して常時は視認不能であり拡大手段による拡大により視認可能となる微小文字を印刷した微小文字印刷部と、を有することを最も主要な特徴とする。
【手続補正３】
【補正対象書類名】明細書
【補正対象項目名】０００８
【補正方法】変更
【補正の内容】
【０００８】
請求項１記載の考案によれば、複写機による複写により顕像化する紙葉の任意の箇所に印刷加工した潜像情報と、拡大手段による拡大により視認可能となる前記紙葉の隅部に印刷加工した微小文字とを有する紙葉の構成により、印刷紙葉の原本性の担保機能と、存在時期の特定機能とを併有し、印刷紙葉の偽造・改ざん防止に有効な偽造防止用印刷紙葉を実現し提供することができる。